(57)【要約】【課題】診療科から院内ネットワークを経由して送られてくる撮影コードと、自身にあらかじめ記憶している対応表から、撮影条件を割り出して自動的に設定する機能を有するＸ線撮影装置において、病院内で対応表に記憶されていない撮影コードが新たに追加され院内ネットワークを経由して送られてきた場合、Ｘ線撮影装置はこれを解読できないので、Ｘ線撮影装置の操作者は毎回手動で最適の撮影条件を設定しなければならない。【解決手段】メモリ１７の対応表に記憶されていない撮影コードが新たに追加され院内ネットワーク２を経由して送られた場合、Ｘ線撮影装置３の操作者は一回目に限り手動で必要な撮影条件を設定して撮影を行うと、制御部４が新たな撮影コードと手動で設定された撮影条件の関係を対応表に自動的に追記する。この結果以後はこの撮影コードが送られてきた場合も制御部４により撮影条件が自動的に設定される。【選択図】          図２
2008161245.tif 000002
【特許請求の範囲】
【請求項１】
病院内ネットワークから送信される撮影情報と自動設定可能な撮影条件の関係を示す表を記憶する記憶手段と、前記自動設定可能な撮影条件を入力する入力手段と、前記病院内ネットワークから送信される撮影情報が前記表に存在する場合前記表を参照して得られる撮影条件を設定し、存在しない場合前記入力手段により入力される撮影条件を設定する撮影条件自動設定手段を備えたＸ線撮影装置において、前記撮影情報が前記表に存在しない場合、前記入力手段により入力される撮影条件を前記病院内ネットワークから送信される撮影情報と対応させて撮影時に前記表に自動的に追記する追記手段を設けたことを特徴とするＸ線撮影装置。
【発明の詳細な説明】
【技術分野】
【０００１】
本発明はＸ線撮影装置に関するものであり、特に病院内情報システムに接続して得られる撮影情報に基づいて動作するＸ線撮影装置に関する。
【背景技術】
【０００２】
最近比較的大規模な病院等において各診療科のコンピュータと放射線科のＸ線撮影装置を院内ネットワークにより接続して、被検者のＸ線撮影に関する情報を送受信するシステムが利用されている（例えば特許文献１参照）ので、このような例について図２、図３（ａ）および図４を用いて簡単に説明する。このような病院では内科、外科等の担当医師はＸ線撮影が必要であると判断した場合、撮影部位や撮影姿勢等の撮影情報に対応して院内であらかじめ設定された撮影コードを被検者９の識別番号とともに自分の科のコンピュータ（図示しない）に入力する。入力された撮影コードおよび被検者９の識別番号は院内ネットワーク２を経由して院内のホストコンピュータ１に記憶される。
【０００３】
その後放射線科で当該被検者９のＸ線撮影を行うとき、操作者（図示しない）がＸ線撮影装置３の操作パネル５により被検者９の識別番号を入力すると、コンピュータ１８やメモリ１７等により構成される制御部４は、院内ネットワーク２を経由して院内のホストコンピュータ１から、被検者９に対して診療科の担当医師が入力した撮影コードを受信する（図４のＳ１）。その後制御部４はメモリ１７にあらかじめ記憶された、例えば図３（ａ）に示すような対応表を読み出して、対応表に受信した撮影コードが存在するか否か確認する（図４のＳ２）。なおこの対応表は院内ネットワーク２経由で送られてくる撮影コードとＸ線撮影装置３内に設定する撮影条件の関係を示す表である。
【０００４】
対応表に受信した撮影コードが存在する場合、制御部４は対応表からＸ線撮影装置３内で設定すべき撮影条件を知ることができる。ここで例えば受信した撮影コードが２である場合、制御部４は図３（ａ）に示す対応表から照射野サイズとして９（インチ）×９（インチ）が指定されていることを知り、この値をコリメータ制御部１５に出力する（図４のＳ３）。コリメータ制御部１５はコリメータ駆動部１２を制御して、Ｘ線管７の前面部に取り付けられたコリメータ１３により照射野を９（インチ）×９（インチ）に自動設定する。さらに制御部４は図３（ａ）に示す対応表から管電圧および管電流としてそれぞれ１００ｋＶおよび２００ｍＡと指定されていることを知り、これらの値をＸ線制御部１４に出力する（図４のＳ４）。Ｘ線制御部１４は高電圧発生器６を制御してＸ線管７が指定されたＸ線条件でＸ線照射を行う準備をする。
【０００５】
一方病院内で新たな撮影手法を採用すること等により院内のホストコンピュータ１に新たな撮影コードが登録され、院内ネットワーク２を経由してメモリ１７の対応表に存在しない撮影コードがＸ線撮影装置３に送られてきた場合、制御部４は操作パネル５の表示部（図示しない）にその旨を表示する等により、操作者に対応表に存在しない新たな撮影コードに適した撮影条件を手動で設定するように知らせるので、これに応じて操作者が操作パネル５を操作して照射野サイズおよび管電圧、管電流を手動で設定する。制御部４は手動で設定されたこれらの値をそれぞれコリメータ制御部１５およびＸ線制御部１４に出力する（図４のＳ５およびＳ６）。コリメータ制御部１５およびＸ線制御部１４は指定された撮影条件でＸ線照射を行う準備をする。
【０００６】
その後操作者は被検者９をＸ線管７に対向配置されたＸ線検出器８の前面に近接して配置した後、Ｘ線照射スイッチ１６を操作してＸ線を照射しＸ線撮影を行う（図４のＳ８およびＳ９）。なお通常撮影時間は自動露出機構（図示しない）により制御される。また図２において１０および１１はそれぞれＸ線管７およびＸ線検出器８を保持するＸ線管保持装置および検出器保持装置である。
【０００７】
上記の例では説明を簡略化するために、図３（ａ）に示す対応表に記憶される撮影条件を照射野サイズおよび管電圧、管電流のみとしたが、Ｘ線撮影装置３が撮影距離等これら以外の撮影条件についても自動制御機能を有している場合それらの撮影条件も記憶され、さらに画像処理機能を有する場合、エッジ強調の程度等の画像処理条件も含めて記憶されることが多い。
【特許文献１】特開２００３−２４３１３号公報
【発明の開示】
【発明が解決しようとする課題】
【０００８】
診療科から院内ネットワークを経由して送られてくる撮影コードと、自身にあらかじめ記憶している対応表から、撮影条件を割り出して自動的に設定する機能を有するＸ線撮影装置において、病院内で対応表に記憶されていない撮影コードが新たに追加される等により院内ネットワークを経由して送られてきた場合、Ｘ線撮影装置はこれを解読できないので、Ｘ線撮影装置の操作者はこの撮影コードについては毎回手動で最適の撮影条件を設定しなければならない。このことは操作者にとって手間がかかる作業であるとともに、誤設定を行うおそれもある。本発明はこのような不都合を低減するためのものである。
【課題を解決するための手段】
【０００９】
発明は上記の目的を達成するために、病院内ネットワークから送信される撮影情報と自動設定可能な撮影条件の関係を示す表を記憶する記憶手段と、前記自動設定可能な撮影条件を入力する入力手段と、前記病院内ネットワークから送信される撮影情報が前記表に存在する場合前記表を参照して得られる撮影条件を自動設定し、存在しない場合前記入力手段により入力される撮影条件を自動設定する撮影条件自動設定手段を備えたＸ線撮影装置において、前記撮影情報が前記表に存在しない場合、前記入力手段により入力された撮影条件を前記病院内ネットワークから送信される撮影情報と対応させて撮影時に前記表に自動的に追記する追記手段を設けたＸ線撮影装置を提供する。
【発明の効果】
【００１０】
本発明により病院でＸ線撮影装置内の対応表に記憶されていない撮影コードが新たに追加され院内ネットワークを経由して送られた場合、Ｘ線撮影装置の操作者は一回目に限り手動で必要な撮影条件を設定して撮影を行えば、新たな撮影コードと手動で設定された撮影条件の関係が対応表に自動的に追記される。この結果以後はこの撮影コードが送られてきた場合も撮影条件が自動的に設定されるようになるので、操作者の手間が省かれるとともに誤設定を行うおそれもなくなる。
【発明を実施するための最良の形態】
【００１１】
本発明の実施例について図１〜図３を用いて説明する。各診療科のコンピュータと放射線科のＸ線撮影装置を院内ネットワークにより接続して、被検者のＸ線撮影に関する情報を送受信するシステムを有する病院では、内科、外科等の担当医師はＸ線撮影が必要であると判断した場合、撮影部位や撮影姿勢等の撮影情報に対応して院内であらかじめ設定された撮影コードを被検者９の識別番号とともに自分の科のコンピュータ（図示しない）に入力する。入力された撮影コードおよび被検者９の識別番号は院内ネットワーク２を経由して院内のホストコンピュータ１に記憶される。
【００１２】
その後放射線科で当該被検者９のＸ線撮影を行うとき、操作者（図示しない）がＸ線撮影装置３の操作パネル５により被検者９の識別番号を入力すると、コンピュータ１８やメモリ１７等により構成される制御部４は、院内ネットワーク２を経由して院内のホストコンピュータ１から、当該被検者９に対して診療科の担当医師が入力した撮影コードを受信する（図１のＳ１）。その後制御部４はメモリ１７にあらかじめ記憶された、例えば図３（ａ）に示すような、院内ネットワーク２経由で送られてくる撮影コードとＸ線撮影装置３内に設定する撮影条件の対応表を読み出して、対応表に受信した撮影コードが存在するか否か確認する（図１のＳ２）。
【００１３】
対応表に受信した撮影コードが存在する場合、制御部４は対応表からＸ線撮影装置３内で設定すべき撮影条件を知ることができる。ここで例えば受信した撮影コードが２である場合、制御部４は図３（ａ）に示す対応表から照射野サイズとして９（インチ）×９（インチ）を設定すべきであることを知り、この値をコリメータ制御部１５に出力する（図１のＳ３）。この結果コリメータ制御部１５はコリメータ駆動部１２を制御して、Ｘ線管７の前面部に取り付けられたコリメータ１３により照射野を９（インチ）×９（インチ）に自動設定する。さらに制御部４は図３（ａ）に示す対応表から管電圧および管電流をそれぞれ１００ｋＶおよび２００ｍＡに設定すべきであることを知り、これらの値をＸ線制御部１４に出力する（図１のＳ４）。これによりＸ線制御部１４は高電圧発生器６を制御してＸ線管７が指定されたＸ線条件でＸ線照射を行う準備をする。
【００１４】
一方病院内で新たな撮影手法を採用すること等により院内のホストコンピュータ１に新たな撮影コードとして１１が登録され、院内ネットワーク２を経由してＸ線撮影装置３に送られてきた場合、この撮影コードは図３（ａ）に示す対応表に存在しないので、制御部４は操作パネル５の表示部（図示しない）にその旨を表示して、操作者に適当な撮影条件を手動で設定するように知らせる。これに応じて操作者が操作パネル５を操作して、新たな撮影コード１１に対する最適な撮影条件として、例えば照射野サイズ１４（インチ）×９（インチ）、管電圧８０ｋＶ、管電流３００ｍＡを手動で設定する。制御部４は手動で設定されたこれらの値をコリメータ制御部１５およびＸ線制御部１４に出力する（図１のＳ５およびＳ６）。これによりコリメータ制御部１５およびＸ線制御部１４は設定された撮影条件でＸ線照射を行う準備をする。そして制御部４はメモリ１７内の所定の番地に設けられた追記フラグ（図示しない）をセットする（図１のＳ７）。
【００１５】
その後操作者は被検者９をＸ線管７に対向配置されたＸ線検出器８の前面に近接して配置した後、Ｘ線照射スイッチ１６を操作してＸ線を照射しＸ線撮影を行う（図１のＳ８およびＳ９）。このとき撮影時間は自動露出機構（図示しない）により制御される。撮影終了直後に制御部４はメモリ１７内の追記フラグがセットされているか否かをチェックし（図１のＳ１０）、セットされていない場合はそのまま撮影動作を終了するが、セットされている場合はその撮影に対して受信している撮影コード１１と手動で設定された撮影条件、すなわち照射野サイズ１４（インチ）×９（インチ）、管電圧８０ｋＶおよび管電流３００ｍＡを一組のデータとして図３（ａ）に示す対応表に追記する（図１のＳ１１）。さらにメモリ１７内の追記フラグをリセットして（図１のＳ１２）、撮影動作を終了する。
【００１６】
この結果対応表の内容は図３（ｂ）に示すように変化するので、以降撮影コードとして１１が送られてきた場合でも、制御部４は図３（ｂ）に示す対応表から設定すべき照射野サイズおよび管電圧、管電流を知ることができ、撮影条件を自動的に設定することができるようになる。
【００１７】
上記の実施例では説明を簡略化するために、図３（ａ）および（ｂ）に示す対応表に記憶される撮影条件を照射野サイズおよび管電圧、管電流のみとしたが、Ｘ線撮影装置３が撮影距離等これら以外の撮影条件についても自動制御機能を有している場合、それらの撮影条件についても対応表に記憶させてもよい。またＸ線撮影装置３が画像処理機能を有する場合、撮影条件の中にエッジ強調の程度等の画像処理条件も含めて対応表に記憶させてもよい。
【産業上の利用可能性】
【００１８】
本発明はＸ線撮影装置に関する。
【図面の簡単な説明】
【００１９】
【図１】本発明の実施例を説明するためのフローチャートである。
【図２】本発明の実施例を説明するためのブロック図である。
【図３】対応表の例を示す図である。
【図４】従来例を説明するためのフローチャートである。
【符号の説明】
【００２０】
１：ホストコンピュータ
２：院内ネットワーク
３：Ｘ線撮影装置
４：制御部
５：操作パネル
６：高電圧発生器
７：Ｘ線管
８：Ｘ線検出器
９：被検者
１０：Ｘ線管保持装置
１１：検出器保持装置
１２：コリメータ駆動部
１３：コリメータ
１４：Ｘ線制御部
１５：コリメータ制御部
１６：Ｘ線照射スイッチ
１７：メモリ
１８：コンピュータ
【図１】
2008161245.tif 000003
【図２】
2008161245.tif 000004
【図３】
2008161245.tif 000005
【図４】
2008161245.tif 000006